(57)【要約】【課題】建築用パネルを構成する木製角棒材の再利用が容易な建築用パネルを提供する。建築用パネルと横架材との結合強度を向上させる。【解決手段】建築用パネル１０は、長手方向に延びる面２１同士を当接させるように隣接させて配置した複数本の木製角棒材２０と、複数の木製角棒材２０を、長手方向に延びる面２１と直交する方向に貫通し、かつ締結する貫通締結部材３０とを備えている。建築用パネル１０と横架材５０とを連結するボルト４０を、建築用パネル１０を構成している木製角棒材２０の芯部分に設けた。【選択図】図１
2013130023.tif 000002
【特許請求の範囲】
【請求項１】
長手方向に延びる面同士を当接させるように隣接させて配置した複数本の木製角棒材と、
それら複数の木製角棒材を、前記長手方向に延びる面と直交する方向に貫通し、かつ締結する貫通締結部材と、
を備えたことを特徴とする建築用パネル。
【請求項２】
前記複数本の木製角棒材は、それら木製角棒材の対向面に、該対向面と直交方向に開けられた穴を有し、その穴に嵌め込まれた結合部材によっても結合されることを特徴とする請求項１記載の建築用パネル。
【請求項３】
前記請求項１または２記載の建築用パネルと、この建築用パネルが結合される横架材との連結構造であって、
前記建築用パネルと横架材とを連結するボルトを、前記建築用パネルを構成している前記木製角棒材の芯部分に設けたことを特徴とする建築用パネルと横架材との連結構造。
【請求項４】
前記建築用パネルにおける前記横架材との対向部に設けられたほぞと、
前記横架材に設けられていて前記ほぞと嵌り合うとともに前記ほぞの軸線方向と直交方向が開放されているほぞ穴と、
前記横架材に着脱可能に設けられ、前記ほぞ穴の開放部を閉じる閉じ部材と、
を備えていることを特徴とする請求項３記載の建築用パネルと横架材との連結構造。
【発明の詳細な説明】
【技術分野】
【０００１】
本発明は，建築用パネルおよびこの建築用パネルと横架材との連結構造に関するものである。
【背景技術】
【０００２】
特許文献１には、構造柱と横架材間に画成された壁形成空間内に断面積の大なる耐力壁構造を容易に形成し、強度向上と気密性と外観の向上を図ることを目的とした耐力壁構造が記載されている。同文献の特許請求の範囲および符号を援用して説明すると，この耐力壁構造は，木製角柱材（１）の四隅に長手方向に亘って埋め木受容溝（２）を形成すると共に、同木製角柱材（１）の左右二側面に長手方向に亘って接合溝（３）を形成し、該複数本の木製角柱材（１）を上記接合溝（３）を形成した左右二側面で互いに添接し、該添接によって隣接する木製角柱材（１）の埋め木受容溝（２）を上記添接面の長手辺上における上記木製角柱材（１）の前後二側面において合致させると共に、同隣接する木製角柱材（１）の接合溝（３）を上記添接面において合致させ、上記合致せる埋め木受容溝（２）内に埋め木（４）を入れ込むと共に、上記合致せる接合溝（３）内に各木製角柱材（１）を連結する雇実（５）を圧入して耐力壁ブロック（６）を形成し、間隔的に配置された左右一対の構造柱（７）と該構造柱（７）に横架された上下一対の横架材（８）によって画成された壁形成空間（９）内に上記耐力壁ブロック（６）を建て込み、上記構造柱（７）の内側面に耐力壁ブロック（６）を形成する左右端の木製角柱材（１）の外側面を添接すると共に、上記横架材（８）の内側面に耐力壁ブロック（６）を形成する各木製角柱材（１）の各端面を添接し、締結金物（１０）にて該耐力壁ブロック（６）を上記構造柱（７）及び横架材（８）に締結した耐力壁構造である。
【先行技術文献】
【特許文献】
【０００３】
【特許文献１】特開平０９−１８４１９７号公報
【発明の概要】
【発明が解決しようとする課題】
【０００４】
上述した従来の耐力壁構造には次のような問題がある。
１．耐力壁ブロック（６）を構成するためには、接着剤による接着が必要であるため、耐力壁ブロック（６）を構成している木製角柱材（１）の再利用が不可能であるか、困難である。
２．耐力壁ブロック（６）と構造柱（７）及び横架材（８）との結合強度を向上させることが不可能であるか、困難である。
【０００５】
＜上記問題１の理由＞
同公報００２０段落には、隣接する木製角柱材（１）の各添接面間及び各接合溝（３）内に接着剤を施し、雇実（５）の圧入による各木製角柱材（１）の連結を強固にしている旨の記載がある。
すなわち、従来技術では、接着剤で接着しないと、木製角柱材（１）と雇実（５）とがスラスト方向に相対的にスライド可能なため必要強度が得られなくなる。
そのため、接着剤による接着が必要である。
なお、締結金物（１０）は、耐力壁ブロック（６）の形成自体には寄与していない。
同公報００１９段落には、隣接する木製角柱材（１）の接合溝（３）を上記添接面において合致させ、この合致せる接合溝（３）に各木製角柱材（１）を連結する金属製又は木製等の雇実（５）を圧入して木製角柱材（１）が密に連結して成る耐力壁ブロック（６）を形成する旨の記載がある。
すなわち、締結金物（１０）が関与するまでもなく耐力壁ブロック６は完成しているため、締結金物（１０）は、耐力壁ブロック（６）の形成自体には寄与していない。
このことは、
同公報００２２段落に、「この耐力壁ブロック６を図３に示すように間隔的に配置された左右一対の構造柱７と該構造柱７に横架された上下一対の横架材８によって画成された壁形成空間９内に建て込む。」と記載され、
同公報００２４段落に、「斯くして組み込まれた耐力壁ブロック６と構造柱７及び横架材８とを締結金物１０にて相互に連結する。」と記載されていることからも明かである。
以上から分かるように、従来技術では、耐力壁ブロック（６）を構成するために接着剤による接着が必要であるため、耐力壁ブロック（６）を構成している木製角柱材（１）の再利用が不可能であるか、困難である。
【０００６】
＜上記問題２の理由＞
上記従来技術では、組み込まれた耐力壁ブロック（６）と構造柱（７）及び横架材（８）との連結は締結金物（１０）にて行われる。具体的には、
同公報００２５段落に記載の通り、「図３に示すようにこの羽子板ボルトの座板１０ａを横架材８と構造柱７の接合部における構造柱７の外側面に添え、その端部に立設した締結ボルト１０ｂを横架材８に貫通させてナット締めすると共に、座板１０ａに穿けた取付孔を介して締結ボルト１０ｃ等の継材を構造柱７外側面から構造柱７を貫通して耐力壁ブロック６内へ突き入れる。」ことによって行われる。
このような結合構造によると、羽子板ボルトの締結ボルト（１０ｂ）による締結力は、羽子板ボルトの座板（１０ａ）を介して締結ボルト（１０ｃ）によって構造柱（７）および耐力壁ブロック（６）に作用し、締結ボルト（１０ｃ）はそのラジアル方向（同公報図３において上下方向）に関し、構造柱（７）および耐力壁ブロック（６）に食い込み易くなる。そのため、十分な締結力が得られにくくなる。
したがって、従来技術では、耐力壁ブロック（６）と構造柱（７）及び横架材（８）との結合強度を向上させることが不可能であるか、困難である。
【０００７】
本発明が解決しようとする課題は，建築用パネルを構成する木製角棒材の再利用が容易な建築用パネルを提供することである。
また、その建築用パネルと横架材との結合強度を向上させることができる建築用パネルと横架材との連結構造を提供することである。
【課題を解決するための手段】
【０００８】
上記課題を解決するために，本発明の建築用パネルは，
長手方向に延びる面同士を当接させるように隣接させて配置した複数本の木製角棒材と、
それら複数の木製角棒材を、前記長手方向に延びる面と直交する方向に貫通し、かつ締結する貫通締結部材と、
を備えたことを特徴とする。
この建築用パネルによれば，貫通締結部材による締結作用で、木製角棒材の長手方向に延びる面同士を密に当接させることができるとともに強固に結合させることが可能になる。しかも、締結貫通部材が、長手方向に延びる面同士を当接させるように隣接させて配置した複数本の木製角棒材を、前記長手方向に延びる面と直交する方向に貫通しているので、木製角棒材相互のスラスト方向への移動も防止できる。
すなわち、この建築用パネルによれば，接着剤を用いなくても、複数本の木製角棒材を強固に結合した建築用パネルを構成できるとともに、締結貫通部材を取り外すことによって、建築用パネルを木製角棒材単位に分解することができる。
したがって、建築用パネルを構成する木製角棒材の再利用が容易になる。
【０００９】
前記複数本の木製角棒材は、それら木製角棒材の対向面に、該対向面と直交方向に開けられた穴を有し、その穴に嵌め込まれた結合部材によっても結合される構成とすることができる。
このように構成すると、結合部材によって、木製角棒材同士をより強固に結合させることができるようになるとともに、木製角棒材相互のスラスト方向への移動もより確実に防止できるので、より強固な建築用パネルを構成することができる。
【００１０】
上記課題を解決するために，本発明の建築用パネルと横架材との連結構造は，
前記建築用パネルと、この建築用パネルが結合される横架材との連結構造であって、
前記建築用パネルと横架材とを連結するボルトを、前記建築用パネルを構成している前記木製角棒材の芯部分に設けたことを特徴とする。
この建築用パネルと横架材との連結構造によれば、建築用パネルと横架材とを連結するボルトが前記建築用パネルを構成している前記木製角棒材の芯部分に設けられているので、従来技術とは異なり、ボルトのラジアル方向に関する、木製角棒材への食い込みを防止することができる。
したがって、建築用パネルと横架材との結合強度を向上させることが可能になる。
【００１１】
上記建築用パネルと横架材との連結構造は、
前記建築用パネルにおける前記横架材との対向部に設けられたほぞと、
前記横架材に設けられていて前記ほぞと嵌り合うとともに前記ほぞの軸線方向と直交方向が開放されているほぞ穴と、
前記横架材に着脱可能に設けられ、前記ほぞ穴の開放部を閉じる閉じ部材と、
を備えている構成とすることができる。
このように構成すると，ほぞとほぞ穴との嵌り合いによって、建築用パネルと横架材との結合強度を一層向上させることが可能になる。
しかも、ほぞ穴は、前記ほぞの軸線方向と直交方向が開放されていて、その開放部が、前記横架材に着脱可能に設けられる閉じ部材で閉じられる構成であるので、閉じ部材を横架材から取り外して、前記ほぞを前記ほぞ穴の開放部側へ移動させてほぞとほぞ穴との結合を容易に解除できる。
したがって、建築用パネルを横架材から容易に取り外すことが可能になる。
【図面の簡単な説明】
【００１２】
【図１】本発明に係る建築用パネルの実施の形態を示す図で、正面図と部分省略断面図を同時に示した図。
【図２】本発明に係る建築用パネルの実施の形態を示す図で、正面図と部分省略斜視図を同時に示した図。
【図３】本発明に係る建築用パネルの実施の形態を示す図で、正面図と部分省略断面図を同時に示した図。
【図４】本発明に係る建築用パネルの実施の形態を示す図で、正面図と部分省略断面図を同時に示した図。
【図５】本発明に係る建築用パネルおよび横架材との連結構造の実施の形態を示す図で、部分省略正面図と部分省略側面図を同時に示した図。
【図６】本発明に係る建築用パネルおよび横架材との連結構造の実施の形態を示す図で、部分省略正面図と部分省略断面図を同時に示した図。
【図７】本発明に係る建築用パネルおよび横架材との連結構造の実施の形態を示す図で、部分省略正面図と部分省略断面図を同時に示した図。
【図８】本発明に係る建築用パネルおよび横架材との連結構造の実施の形態を示す図で、連結作業例を示した図。
【図９】本発明に係る建築用パネルおよび横架材との連結構造の実施の形態を示す部分省略分解斜視図。
【図１０】建築用パネル同士の間の接合構造例を示す断面図。
【図１１】二階建て建築物の壁を構成する場合の建築用パネルと横架材との連結構造例を示す断面図。
【図１２】土台下の作業スペースの例を示す部分省略正面図と側断面図を同時に示した図。
【図１３】建築用パネル同士の接合構造例を示す図で、部分平断面図と、部分正面図と、部分側断面図とを同時に示した図。
【発明を実施するための形態】
【００１３】
以下，本発明に係る建築用パネルおよびこの建築用パネルと横架材との連結構造の実施の形態について図面を参照して説明する。なお、各図において、同一部分ないし相当する部分には、同一の符号を付してある。
【００１４】
図１に示すように、この実施の形態の建築用パネル１０は，長手方向に延びる面２１同士を当接させるように隣接させて配置した複数本（図示のものは６本）の木製角棒材２０と、それら複数の木製角棒材２０を、前記長手方向に延びる面２１と直交する方向に貫通し、かつ締結する貫通締結部材３０とを備えている。
なお、図１において４０は、後述する、建築用パネル１０と横架材５０との連結構造に用いるボルトである。
【００１５】
この建築用パネル１０によれば，貫通締結部材３０による締結作用で、木製角棒材２０の長手方向に延びる面２１同士を密に当接させることができるとともに強固に結合させることが可能になる。しかも、締結貫通部材３０が、長手方向に延びる面２１同士を当接させるように隣接させて配置した複数本の木製角棒材２０を、前記長手方向に延びる面２１と直交する方向に貫通しているので、木製角棒材２０相互のスラスト方向Ｓへの移動も防止できる。
すなわち、この建築用パネル１０によれば，接着剤を用いなくても、複数本の木製角棒材２０を強固に結合した建築用パネルを構成できるとともに、締結貫通部材３０を取り外すことによって、建築用パネル１０を木製角棒材２０単位に分解することができる。
したがって、建築用パネル１０を構成する木製角棒材２０の再利用が容易になる。
【００１６】
また、この建築用パネル１０によれば，木材の平滑性を活用して仕上げや密着性を向上させる事が可能になり、それによって、構造強度や断熱性能だけでなく、気密性と水密性及び防火性能までを持たせた建築用パネルを作ることが可能になる。したがって、従来、多種多様な材料を混成することで構成されていた壁を殆ど単一の素材で構成することができる。
【００１７】
貫通締結部材３０は、複数の木製角棒材２０を、前記長手方向に延びる面２１と直交する方向に貫通し、かつ締結することができる構成のものであればよく、例えば図１に示すように、両端にネジが設けられたボルト３１と、その両端に結合されるナット３２，３２とで構成することができる。ボルト３１は一端に頭部を有するボルトとすることも可能である。貫通締結部材３０を設ける個数も適宜設定でき、図１のものは３箇所に設けている。
また、例えば図２に示すように、貫通締結部材３０は、複数本の木製角棒材２０を、前記長手方向に延びる面２１と直交する方向に貫通する貫３３と、この貫３３の両端部分に設けられた楔用穴３３ｈに打ち込んで、木製角棒材２０同士を締結する楔３４とで構成することもできる。楔用穴および楔は、図２に符号３３ｈ１および３４’で示すように、建築用パネル１０の平面と直交する方向に設けることもできる。
【００１８】
併設する木製角棒材２０の本数は、２本以上であり貫通締結部材３０によって締結可能な本数であれば任意であり、例えば図３に示すように、９本とすることもできる。
また、木製角棒材２０の長さも適宜設定でき、例えば、図４に示すように、長い木製角棒材２０Ｌと短い木製角棒材２０Ｓとを組み合わせて貫通締結部材３０で締結し、サッシ用の開口１０ｈを形成することもできる。
【００１９】
図１等に示すように、複数本の木製角棒材２０は、それら木製角棒材２０の対向面２１に、該対向面２１と直交方向に開けられた穴２２を有し、その穴２２に嵌め込まれた結合部材２３によっても結合される構成とすることができる。
このように構成すると、結合部材２３によって、木製角棒材２０同士をより強固に結合させることができるようになるとともに、木製角棒材２０相互のスラスト方向（矢印Ｓ方向）および図１の紙面と直交方向への移動もより確実に防止できるので、より強固な建築用パネル１０を構成することができる。
【００２０】
穴２２および結合部材２３の形状は、相互に嵌り合って木製角棒材２０同士を強固に結合させることができる形状であれば任意である。
図１等に示す穴２２は貫通穴としてあり、結合部材２３はダボで構成してある。なお、穴２２は、結合部材２３を嵌め込むことができればよいので、必ずしも貫通穴とする必要はない。
穴２２および結合部材２３の軸線方向と直交方向の断面形状は矩形としてもよい。
【００２１】
また、結合部材２３は、２本の木製角棒材２０を結合するだけでなく、同時に３本以上の木製角棒材２０を結合する構造とすることもできる。
例えば図５に示すように、１つの結合部材２３Ｓで３，４本の木製角棒材２０を結合するようにすることもできる。この場合、結合部材２３Ｓは上下方向に関し、ずらす（端部２３ａを一致させない）ようにすることがスラスト方向への移動を防止する上で望ましい。
【００２２】
また、結合部材２３Ｓよりもさらに長い１本の結合部材２３Ｌで、さらに多く（図示のものは１５本）の木製角棒材２０を同時に結合するようにすることもできる。
なお、結合部材２３は、建築用パネル１０の作成時において、木製角棒材２０よりも乾燥している木材を用いることが望ましい。そのようにすると、作成後の結合部材２３の吸湿による膨張作用によって、木製角棒材２０同士をより強固に結合することが可能となる。
【００２３】
図１等に示すように、木製角棒材２０同士の間には、木製角棒材２０と同じ長さの実材２４を挿入することにより、建築用パネル１０の外側と内側のと気密性を向上させることができるとともに、燃え代耐火性能を向上させることができる。
また、図３に示すように、木製角棒材２０の一部２０Ｂを他の木製角棒材２０に比べて３割程度薄い木製角棒材とし、その薄くなった部位を、凹溝２５ｇを有する断面コ字形の部材２５で塞ぐことで、その凹溝２５ｇによる空間で、電線コードを通す穴を形成することができる。
【００２４】
図１〜図６に示すように、この実施の形態の建築用パネルと横架材との連結構造は，前記建築用パネル１０と、この建築用パネル１０が結合される横架材５０との連結構造であって、建築用パネル１０と横架材５０とを連結するボルト４０を、建築用パネル１０を構成している木製角棒材２０の芯部分に設けたことを特徴とする。
この建築用パネル１０と横架材５０との連結構造によれば、建築用パネル１０と横架材５０とを連結するボルト４０が建築用パネル１０を構成している木製角棒材２０の芯部分に設けられているので、従来技術とは異なり、ボルト４０のラジアル方向に関する、木製角棒材２０への食い込みを防止することができる。
したがって、建築用パネル１０と横架材５０との結合強度を向上させることが可能になる。
【００２５】
図示のものは、建築用パネル１０の両端に配置された木製角棒材２０にボルト４０を設けたが、ボルト４０は、両端以外の木製角棒材２０に設けることもでき、１枚の建築用パネル１０についての本数も任意である。図示のボルト４０は、両端にネジが設けられたボルトであり、その両端にナット４２が結合されるが、ボルト４０は一端に頭部を有するボルトとすることも可能である。
【００２６】
図７に示すように、横架材５０にはボルト４０の挿入穴５１を設ける。
また、ボルト４０を設ける木製角棒材２０には、ボルト挿入穴２６と、ナット４２等を操作するための作業用穴２７と、この作業用穴２７に連なり、ボルト４０を部分的に収容することができる収容穴２８とを設ける。ボルト４０の長さをＬ１、ボルト挿入穴２６の長さ＋作業用穴２７の長さ＋収容穴２８の長さをＬ２としたとき、Ｌ１＜Ｌ２となるように構成する。なお、ボルト挿入穴２６の長さ＋作業用穴２７の長さがＬ２以上であれば、収容穴２８は必ずしも設ける必要はない。
【００２７】
このように構成すると、建築用パネル１０を上下の横架材５０間に設置する際、例えば図８（ａ）に示すように、ボルト４０を建築用パネル１０内に収容しておくことができるので、建築用パネル１０を容易に設置することができる。
なお、図示の建築用パネル１０には、後述するほぞ２９が適所に設けられているが、ほぞ２９は必ずしも設けなくてもよい。
また、例えば図５に示すように、横架材５０側から木製角棒材２０に向けてボルト４０を挿入できる場合には、上記収容穴２８は必ずしも設ける必要はない。ボルト挿入穴２６と、ナット４２等を操作するための作業用穴２７とを設ければ足りる。
【００２８】
図７等に示すように、建築用パネル１０における横架材５０との対向部には、ほぞ２９を設けることができる。横架材５０には、ほぞ２９と嵌り合うほぞ穴５２を設ける。
ほぞ穴５２は、ほぞ２９の軸線方向と直交方向（建築用パネル１０の平面と直交方向であり、図８における矢印Ｘ１，Ｘ２方向）の少なくとも一方が開放されている構成とする。開放部を図７に符号５３で示す。
横架材５０には、ほぞ穴５２の開放部５３を閉じる閉じ部材５５を着脱可能に設ける。
【００２９】
図示のように、横架材５０として、上横架材５０Ｕと、下横架材５０Ｌとがある場合、ほぞ穴５２の開放部５３および閉じ部材５５は少なくとも一方の横架材５０に設ければよい。図示のものは、下横架材５０Ｌに設けてある。
また、図示のものは、下横架材５０Ｌが、土台５０ｂと、この土台５０ｂに設置されるほぞ穴形成部材５４，５５とを有している。図９にも示すように、一方のほぞ穴形成部材５４は、土台５０ｂと同等の長さを有していて土台５０ｂに固定される部材であり、他方のほぞ穴形成部材５５は、上述した閉じ部材５５である。
【００３０】
一方のほぞ穴形成部材５４は、上記ほぞ穴５２と、ほぞ穴５２の開放部５３を塞ぐための閉じ部材５５を受け入れる凹部５６とを有している。一方のほぞ穴形成部材５４は、適宜の固定手段、例えば釘、ビス等５７（図７参照）によって土台５０ｂに固定することができ、また、ボルト４０によって木製角棒材２０および土台５０ｂと共締めして固定することができる。
図示のものは、一方のほぞ穴形成部材５４を土台５０ｂと別体に構成して土台５０ｂに固定する構成としたが、一方のほぞ穴形成部材５４は土台５０ｂと一体に構成することもできる。
下横架材５０Ｌに用いた以上の構成は、上横架材５０Ｕに対しても適用することができる。
【００３１】
いずれにしても、建築用パネル１０における横架材５０との対向部にほぞ２９を設け、横架材５０にほぞ穴５２を設け、ほぞ穴５２はほぞ２９の軸線方向と直交方向の少なくとも一方が開放されている構成とし、横架材５０には、ほぞ穴５２の開放部５３を閉じる閉じ部材５５を着脱可能に設けることによって、次のような効果が得られる。
ほぞ２９とほぞ穴５２との嵌り合いによって、建築用パネル１０と横架材５０との結合強度を一層向上させることが可能になる。
しかも、ほぞ穴５２は、ほぞ２９の軸線方向と直交方向が開放されていて、その開放部５３が、横架材５０に着脱可能に設けられる閉じ部材５５で閉じられる構成であるので、閉じ部材５５を横架材５０から取り外して、ほぞ２９をほぞ穴５２の開放部５３側へ移動させてほぞ２９とほぞ穴５２との結合を容易に解除できる。
したがって、建築用パネル１０を横架材５０から容易に取り外すことが可能になる。
したがってまた、複数の建築用パネル１０で一つの壁を構成している場合、そのうちの例えば傷ついた一枚の建築用パネル１０のみを桁や土台をそのままにした状態で交換することも可能である。
【００３２】
建築用パネル１０の組み付け例について、図８を参照して説明する。
図（ａ）〜（ｂ）に示すように、ボルト４０を建築用パネル１０内に収容した状態で、建築用パネル１０の上部のほぞ２９を上横架材５０Ｕのほぞ穴５２に嵌め込むようにして、建築用パネル１０を上下の横架材５０Ｕ，５０Ｌ間に入れる。建築用パネル１０の下部のほぞ２９は、下横架材５０Ｌのほぞ穴５２に嵌め込む。
【００３３】
図（ｃ）〜（ｄ）に示すように、上下のボルト４０を軸線方向へスライドさせて、上下の横架材５０Ｕ，５０Ｌをそれぞれ貫通させるとともに、凹部５６に閉じ部材５５を嵌め込みビス５８等（図７，図９参照）で固定してほぞ穴５２を塞ぎ、各ボルト４０の両端に必要に応じた座金４１を介してナット４２を装着し、上下の横架材５０Ｕ，５０Ｌに対して建築用パネル１０をそれぞれ締め付け固定する。この際、ほぞ穴形成部材５４，５５も共締め固定される。
なお、建築用パネル１０と土台５０ｂとを固定するボルト４０のナット４２の操作スペースは、基礎と土台５０ｂとの間に適宜のスペース（例えば猫目換気口のようなスペース）を設けて確保することができる。また、例えば図１２に示すように、基礎１と土台５０ｂとの間にスペーサ（例えば木材）２をボルト４０の下部以外に介在させることによって操作スペース１ｓを形成することもできる。作業用穴２７は、作業終了後、埋木２７ｂ（図１等参照）で塞ぐ。
【００３４】
建築用パネル１０を横架材５０から取り外す際には、逆の作業を行えばよい。
すなわち、作業用穴２７の埋木を外し、ナット４２および座金４１を取り外してボルト４０を建築用パネル１０内に収容するとともに、閉じ部材５５を取り外し、下部のほぞ２９をほぞ穴５２の開放部５３側へ移動させるようにして上部のほぞ２９もほぞ穴５２から外すことによって、建築用パネル１０を上下の横架材５０Ｕ，５０Ｌ間から取り外すことができる。
【００３５】
複数の建築用パネル１０を併設して壁等を構成する場合、建築用パネル１０同士の間の接合構造は適宜の構造を採用することができる。
例えば図９、図１０に示すように、建築用パネル１０同士の間には、貫通締結部材３０のナット３２を締め直すことを可能とするための作業空間ＷＳを設けるとともに、このスペースＷＳは建築用パネル１０の内外から埋木１１，１１で埋める。埋木１１は着脱可能とする。
【００３６】
このように構成すると、建築用パネル１０を用いた建築物を完成させた後にも、必要に応じ、埋木１１を外してナット３２を締め直し、木製角棒材２０同士の密着性を確保することが可能である。
埋木１１と建築用パネル１０との間には、密着性を高めるためのシート（例えばアルミガラスクロステープ）１１ｓを設けることが望ましい。
このような接合構造は、予め設置されている部材（例えば柱）と建築用パネル１０との間の接合構造としても採用することができる。
なお、この接合構造を用いて建築用パネル１０同士を接合する場合、例えば図６に示すように、隣接する建築用パネル１０の貫通締結部材３０同士の干渉を防止して作業空間ＷＳを狭くすることができるように、木製角棒材２０の長手方向における貫通締結部材３０の位置をずらすことが望ましい。
【００３７】
ナット３２を締め直す必要がない場合、あるいは、建築用パネル１０の側面にボルト先端およびナット３２を突出させることが望ましくない場合には、図６に示すように、建築用パネル１０の側面に凹部１２を設けて、この凹部１２にボルト先端およびナット３２が収まるように構成することもできる。
【００３８】
また、図５に示すように、作業用穴２７を、建築用パネル１０固定用のボルト４０のナット４２だけでなく建築用パネル１０自体を構成する貫通締結部材３０のナット３２も操作できる穴とすることによって、建築用パネル１０の側面にボルト先端およびナット３２を突出させることなく、ナット３２を締め直しを可能とすることができる。
図５に示すような建築用パネル１０は、作業用穴２７を設けた両端の木製角棒材２０を除く中間部の木製角棒材２０に先ずボルト３１を挿入し、その後、ボルト先端を覆うように両端の木製角棒材２０を装着し、作業用穴２７を用いてナット３２を結合させることで作製可能である。なお、作業用穴２７は埋木で埋める。
【００３９】
図１１に示すように、建築用パネル１０を用いて二階建て建築物の壁を構成する場合、二階床レベルの横架材５０はその上下のボルト４０，４０を固定する必要があるため、横架材５０の上下方向中央部付近に作業用穴５９を空けてナット４２を操作するスペースを確保する。なお、上下のボルト４０，４０は、通しの一本のボルトで構成することも可能である。
【００４０】
以上，本発明の実施の形態について説明したが，本発明は上記の実施の形態に限定されるものではなく，本発明の要旨の範囲内において適宜変形実施可能である。
図６の断面図等において、２０ｃは背割れ埋木を示しているが、木製角棒材２０として、背割れ埋木２０ｃのないものを用いることもできる。
図９において、６０は防水シートであり、建築用パネル１０の背面（内面）から、ほぞ穴形成部材５４，５５の下方、および横架材５０の前面（外面）を覆うように、土台５０ｂの長手方向全長に亘って設けてある。このような防水シートを設けると、木製角棒材２０同士の間の隙間２０ｇに侵入し、建築用パネル１０の下面を通って室内側に侵入しようとする水を室外側に排除することができる。
複数の建築用パネル１０を併設して壁等を構成する場合、建築用パネル１０同士の接合構造は、図１３に示すように、隣接する建築用パネル１０の貫通締結部材３０をなすボルト３１同士を、ナット３２および連結金具３５で緊結する構造を採用することができる。
このように構成すると、特に、吹き抜け空間があって、建築用パネル１０の高さを２階の頭つなぎまでの高さにした場合に、２階床梁の高さで胴差の変わりに、建築用パネル１０同士を緊結することができるので、有効である。
連結金具３５は角筒状とし、ボルト３１を入れることができるＬ字形の穴３６を設けることが望ましい。建築用パネル１０同士の隙間は、上述した実施の形態同様、埋木を施す。
【符号の説明】
【００４１】
１０    建築用パネル
２０    木製角棒材
２１    長手方向に延びる面
２２    穴
２３    結合部材
２９    ほぞ
３０    貫通締結部材
４０    ボルト
５０    横架材
５２    ほぞ穴
５３    開放部
５５    閉じ部材
【図１】
2013130023.tif 000003
【図２】
2013130023.tif 000004
【図３】
2013130023.tif 000005
【図４】
2013130023.tif 000006
【図５】
2013130023.tif 000007
【図６】
2013130023.tif 000008
【図７】
2013130023.tif 000009
【図８】
2013130023.tif 000010
【図９】
2013130023.tif 000011
【図１０】
2013130023.tif 000012
【図１１】
2013130023.tif 000013
【図１２】
2013130023.tif 000014
【図１３】
2013130023.tif 000015